(57)【特許請求の範囲】
【請求項１】
第１及び第２のファイバが接続された２芯フェルールである第１のフェルールと、
該第１のフェルールの出力側に配置され、該第１のフェルールの出力光をそれぞれコリメートさせ、互いに所定の角度により交差させる第１のコリメートレンズと、
第３及び第４のファイバが接続された２芯フェルールである第２のフェルールと、
該第２のフェルールの出力側に配置された第２のコリメートレンズと、
該第３のファイバに接続され、第１の励起光を出力する第１の励起光源と、
該第１の励起光源の波長を反射するとともに該第１のファイバからの光の波長を透過する特性を有し、該第２のコリメートレンズでコリメートされた該第１の励起光及び該第１のコリメートレンズでコリメートされた該第１のファイバからの光を、それぞれ相対する面に入力する位置に配置された第１のフィルタと、
該第４のファイバ及び該第２のファイバの間に接続されたエルビュームドープファイバと、
第５のファイバが接続された第３のフェルールと、
該第３のフェルールの出力側に配置され、該第１のコリメートレンズでコリメートされた該第２のファイバからの光を該第５のファイバに入力する第３のコリメートレンズとを備え、
該第１のフィルタを透過した該第１のファイバからの光の該第１のフィルタによる透過光、及び、該第１のフィルタを反射した該第３のファイバからの該第１の励起光の該第１のフィルタによる反射光が、該第４のファイバに入力される位置に該第１のフィルタは配置され、
該エルビュームドープファイバは、該第１の励起光源により励起されて該第１のファイバからの光を増幅することを特徴とする光増幅器。
【請求項２】
前記第３のフェルールは、さらに第６のファイバが接続される２芯フェルールからなり、
該第６のファイバに接続され、障害監視信号光を出力する障害監視信号光源と、
該障害監視信号光源の波長を反射するとともに該第２のファイバからの光の波長を透過する特性を有し、該第３のコリメートレンズでコリメートされた該障害監視信号光及び該第１のコリメートレンズでコリメートされた該第２のファイバからの光を、それぞれ相対する面に入力する位置に配置された第２のフィルタとを備え、
該第２のフィルタを透過した該第２のファイバからの光の該第２のフィルタによる透過光、及び、該第２のフィルタを反射した該第６のファイバからの該障害監視信号光の該第２のフィルタによる反射光が、該第５のファイバに入力される位置に該第２のフィルタは配置されることを特徴とする請求項１記載の光増幅器。
【請求項３】
前記第１及び第２のファイバ、第１のフェルール、及び第１のコリメートレンズから成る第１の光ファイバレンズアセンブリの後に、そこから出射される２本のビームが共に通過するアイソレータを配置した請求項１又は２記載の光増幅器。
【請求項４】
前記第１の光ファイバレンズアセンブリと前記第３及び第４のファイバ、第２のフェルール、及び第２のコリメートレンズから成る第２の光ファイバレンズアセンブリ、又は少なくとも第５のファイバを含み、第３のフェルール、及び第３のコリメートレンズから成る第３の光ファイバレンズアセンブリの少なくとも一方との間のビーム通過経路にカプラ膜と、前記カプラ膜の反射光路上にフォトダイオードを配置した請求項３記載の光増幅器。
【請求項５】
前記第１の光ファイバレンズアセンブリと前記第２又は第３の光ファイバレンズアセンブリの少なくとも一方との間のビーム通過経路に帯域通過フィルタを配置した請求項４記載の光増幅器。
【発明の詳細な説明】
【０００１】
【発明の属する技術分野】
本発明は光デバイス及び光増幅器に関し、特に光増幅器を構成する各部品を一体形成した光増幅器用の光デバイス及びそれを用いた光増幅器に関するものである。
【０００２】
【従来の技術】
近年、光ファイバにおける非線形効果の解消とその大容量化のために、光通信方式として波長多重方式（ＷＤＭ：Wavelength Division Multiplexing) が重要視されている。波長多重方式では４波〜１６波が多重され、それぞれ十分な光出力を得るために１波長毎に光増幅が行われる。
【０００３】
図１は、エルビウムドープファイバ（ＥＤＦ）を用いた従来の光増幅器デバイスの構成例を示したものである。
図１に示すように、従来の光増幅器デバイスはエルビウムドープファイバ３０をはさんで前段モジュール１０と後段モジュール２０の２つのデバイスに分かれている。前段モジュール１０には光入力信号が与えられ、レンズアセンブリ１１では図１で○印で表すレンズを介してファイバからの光出力を平行光線として出力する。
【０００４】
レンズアセンブリ１１からの光出力は、光カプラ（ＣＰＬ）１２によってその主信号光は次段の光アイソレータ（ＩＳＯ）１３に与えられ、残りの一部は入力モニタ用フォトダイオード（ＰＤ）１５に与えられる。入力モニタ用フォトダイオード１５は入力光断等の検出を行う。光アイソレータ１３は、出力側からの光の進入を防ぎ、そこからの出力は出力側のレンズアセンブリ１４を介してモジュール外部へと出力される。
【０００５】
前記レンズアセンブリ１４にはその長さが１０〜５０ｍ程の光増幅用エルビウムドープファイバ（ＥＤＦ）３０の一端が接続され、その他端は後段モジュール２０のレンズアセンブリ２１に接続される。エルビウムドープファイバ（ＥＤＦ）３０は、光ファイバのコア部分にエルビウムイオン（Ｅｒ）が添加されたもので、それに波長１．５５μｍの光信号と共に波長１．４８μｍ又は０．９８μｍの励起光を与えることによって１０〜４０ｄＢｍ程度に増幅された波長１．５５μｍの光信号が得られる。
【０００６】
なお、波長１．４８μｍの励起光を用いると高出力が得られ、また波長０．９８μｍの励起光を用いると低雑音出力が得られるという特徴がある。また励起の仕方にも光信号と同じ入力側から励起光を与える前方励起と、逆に出力側から励起光を与える後方励起の２通りがあり、前者は低雑音出力、そして後者は高出力が得られるという特徴がある。本例では後者の後方励起の例を示している。
【０００７】
前記後段モジュール２０のレンズアセンブリ２１は、光信号と励起レーザダイオード（ＬＤ）２９からの励起光とが与えられる２芯フェルール（ferrule)構造を有しており、光信号よりも波長の短い励起光は長波長通過フィルタ（ＬＷＰＦ: Long Wave Pass Filter ）２２によって反射され、光信号とは逆の進行方向から後方励起を行う。
【０００８】
前記レンズアセンブリ２１及び長波長通過フィルタ（ＬＷＰＦ）２２を通過した増幅後の光信号は、さらに光アイソレータ（ＩＳＯ）２３を介して帯域通過フィルタ（ＢＰＦ）２４に与えられる。帯域通過フィルタ２４は、エルビウムドープファイバ３０を用いた光増幅の際に必ず発生する自然放出光（ＡＳＥ）による雑音成分を除去し、光信号成分だけを通過させる。
【０００９】
通過後の光信号は光カプラ（ＣＰＬ）２５でその一部が出力モニタフォトダイード（ＰＤ）２８や障害モニタフォトダイオード（ＰＤ）２７側に分岐され、他の主光信号はレンズアセンブリ２６を介してモジュール外部へ出力される。前記出力モニタフォトダイード２８や障害モニタフォトダイオード２７は、出力側光信号のレベル監視や障害検出を行う。
【００１０】
【発明が解決しようとする課題】
上述したように、波長多重方式では使用する波長の数だけ光増幅器が必要となる。そのため、光増幅器を小型化・低コスト化しないと光増幅器を備えた装置全体が大型化・高コスト化するという問題があった。
【００１１】
また、一般に光増幅器は、エルビウムドープファイバ、励起レーザ、そして合波器等の光部品から成り、特に後者の光部品は光増幅器で最も多くの部品点数とスペースを取っていた。そのため、図１に示すように光部品の小型化・低コスト化のために従来ＥＤＦの前段側と後段側の光部品をそれぞれ個別の筐体に集積一体化した光モジュールを使用していたが、２個の光デバイスが必要となって集積度が不十分であるという問題があった。
【００１２】
そこで本発明の目的は、上記種々の問題点に鑑み、前段モジュール及び後段モジュールの各光デバイスの入出力端を２芯フェルール構造及びそれに伴う簡易な光回路を用いて結合し、それによって１個の光デバイスとして一体形成した光増幅器用の光デバイスを提供することにある。
【００１３】
【課題を解決するための手段】
本発明によれば、後述の図２〜図５に示すように、第１及び第２のファイバ（４２、４１）が接続された２芯フェルールである第１のフェルール（４３）と、該第１のフェルール（４３）の出力側に配置され、該第１のフェルールの出力光をそれぞれコリメートさせ、互いに所定の角度により交差させる第１のコリメートレンズ（４５）と、第３及び第４のファイバ（６６、６７）が接続された２芯フェルールである第２のフェルール（６３）と、該第２のフェルール（６３）の出力側に配置された第２のコリメートレンズ（６５）と、該第３のファイバ（６６）に接続され、第１の励起光を出力する第１の励起光源（２９）と、該第１の励起光源（２９）の波長を反射するとともに該第１のファイバ（４２）からの光の波長を透過する特性を有し、該第２のコリメートレンズ（６５）でコリメートされた該第１の励起光及び該第１のコリメートレンズ（４５）でコリメートされた該第１のファイバ（４２）からの光を、それぞれ相対する面に入力する位置に配置された第１のフィルタ（６１）と、該第４のファイバ（６７）及び該第２のファイバ（４１）の間に接続されたエルビュームドープファイバ（３０）と、第５のファイバ（７１）が接続された第３のフェルール（６８）と、該第３のフェルール（６８）の出力側に配置され、該第１のコリメートレンズ（４５）でコリメートされた該第２のファイバ（４１）からの光を該第５のファイバ（７１）に入力する第３のコリメートレンズ（７０）とを備え、該第１のフィルタ（６１）を透過した該第１のファイバ（４２）からの光の該第１のフィルタ（６１）による透過光、及び、該第１のフィルタ（６１）を反射した該第３のファイバ（６６）からの該第１の励起光の該第１のフィルタ（６１）による反射光が、該第４のファイバ（６７）に入力される位置に該第１のフィルタ（６１）は配置され、該エルビュームドープファイバ（３０）は、該第１の励起光源（２９）により励起されて該第１のファイバ（４２）からの光を増幅する光増幅器が提供される。
【００１４】
また本発明によれば、前記第３のフェルール（６８）は、さらに第６のファイバ（７２）が接続される２芯フェルールからなり、
該第６のファイバ（７２）に接続され、障害監視信号光を出力する障害監視信号光源と、
該障害監視信号光源の波長を反射するとともに該第２のファイバ（４１）からの光の波長を透過する特性を有し、該第３のコリメートレンズ（７０）でコリメートされた該障害監視信号光及び該第１のコリメートレンズ（４５）でコリメートされた該第２のファイバ（４１）からの光を、それぞれ相対する面に入力する位置に配置された第２のフィルタ（６２）とを備え、
該第２のフィルタ（６２）を透過した該第２のファイバ（４１）からの光の該第２のフィルタ（６２）による透過光、及び、該第２のフィルタ（６２）を反射した該第６のファイバ（７２）からの該障害監視信号光の該第２のフィルタ（６２）による反射光が、該第５のファイバ（７１）に入力される位置に該第２のフィルタ（６２）は配置される光増幅器が提供される。
【００１５】
さらに本発明によれば、前記第１及び第２のファイバ（４２、４１）、第１のフェルール（４３）、及び第１のコリメートレンズ（４５）から成る第１の光ファイバレンズアセンブリの後に、そこから出射される２本のビームが共に通過するアイソレータ（８１）を配置する。また、前記第１の光ファイバレンズアセンブリと前記第３及び第４のファイバ（６６、６７）、第２のフェルール（６３）、及び第２のコリメートレンズ（６５）から成る第２の光ファイバレンズアセンブリ、又は少なくとも第５のファイバ（６６）を含み、第３のフェルール（６８）、及び第３のコリメートレンズ（７０）から成る第３の光ファイバレンズアセンブリの少なくとも一方との間のビーム通過経路にカプラ膜（４６又は４７）と、前記カプラ膜の反射光路上にフォトダイオード（１５又は２８）を配置する。そして、前記第１の光ファイバレンズアセンブリと前記第２又は第３の光ファイバレンズアセンブリの少なくとも一方との間のビーム通過経路に帯域通過フィルタ（８２）を配置する。
【００１６】
【発明の実施の形態】
図２及び図３は、本発明の基本的な構成（１），（２）を説明するためのものである。
図２では本願発明による増幅器用の光デバイス４０の第１の基本構成を示している。本構成では２本の光ファイバ４１，４２が２芯フェルール４３に装着され、レンズホルダ４４に保持されたコリメートレンズ４５によって各光ファイバ４１，４２からの光出力は平行光線による空間ビームとなり、且つそれぞれの光路が所定の角度をもって交差することによって受信側では互いに干渉しない独立した空間ビームとして扱うことが可能となる。
【００１７】
図１の従来例と対応させた場合、光ファイバ４２を前段モジュール１０の光入力に、そして光ファイバ４１を後段モジュール２０の光入力にそれぞれ割り当てると、前段モジュール１０の光出力は光ファイバ５１へそして後段モジュール２０の光出力は光ファイバ５５へ与えられる。光カプラ４６及び４７は、それぞれ図１の入力モニタフォトダイオード１５と出力モニタフォトダイオード２８への分岐光を与えるものである。
【００１８】
以下、本発明の光デバイスを用いた光増幅器の動作を具体的に説明する。
第１の光ファイバレンズアセンブリの光ファイバ４２には光増幅を行うための光信号が入力される。そして、その入力された光信号がコリメートレンズ４５を介して第２の光ファイバレンズアセンブリの光ファイバ５１にレンズ５０を介して入射されるように第２の光ファイバレンズアセンブリを配置する。光ファイバ５１は、図示していないエルビウムドープファイバ光増幅器（ＥＤＦＡ）の一方の端子に接続され、その他方の端子は第１の光ファイバレンズアセンブリの光ファイバ４１に接続される。なお、前記エルビウムドープファイバ光増幅器は第１の光ファイバレンズアセンブリの光ファイバ４１及び第２の光ファイバレンズアセンブリの光ファイバ５１そのものであってもよい。
【００１９】
第１の光ファイバレンズアセンブリの光ファイバ４１からの出力光が第１の光ファイバレンズアセンブリのレンズ４５を介して第３の光ファイバレンズアセンブリの光ファイバ５５に入射されるように第３の光ファイバレンズアセンブリを配置する。また、第１の光ファイバレンズアセンブリの光ファイバ４２と第２の光ファイバレンズアセンブリの光ファイバ５１との間に光カプラ４６を配置し、それによって入力された光信号の有無を検出することができる。さらに、第１の光ファイバレンズアセンブリの光ファイバ４１と第３の光ファイバレンズアセンブリの光ファイバ５５との間に光カプラ４７を配置し、それによって増幅された光信号をモニタすることができる。
【００２０】
なお、本構成においては光ファイバ４２又は光ファイバ５５から励起光を入力しておく必要がある。このように本発明の第１の原理構成によれば、１）入力段の２芯ファイバフェルール化による前後段入力部の一体化、２）前記２芯アセンブリによって分離した各空間ビーム中における各種光学膜等の光学エレメントの独立配置、そして３）出力側ファイバの分離による各前後段光路毎の独立調整、等が可能となる。
【００２１】
次に、図３は本願発明による増幅器用の光デバイス４０の第２の基本構成を示している。
前述した図２の構成によれば、図１に示すエルビウムドープファイバ（ＥＤＦ）３０は光ファイバ５１と４１との間に接続されるが、このままでは図１の励起レーザダイオード２９から励起光を与えることができない。そこで、本第２の原理構成では図２の出力段側をさらに２芯ファイバフェルール化することで前後段光モジュールの完全な一体化を実現している。
【００２２】
図３の各出力側レンズアセンブリは２芯ファイバフェルール化されており、光ファイバ６７は図２の前段側出力ファイバ５１に、また光ファイバ７１は図２の後段側出力ファイバ５５とそれぞれ対応している。さらに、図３では出力側の各レンズアセンブリに対向して長波長通過フィルタ（ＬＷＰＦ）６１及び６２が設けられている。前記長波長通過フィルタ６１は、光ファイバ６６から入力される外部励起レーザダイオード（図２の２９参照）からの励起光だけを反射し、それをエルビウムドープファイバに接続される前記光ファイバ６７に与える。
【００２３】
以下、本発明の光デバイスを用いた光増幅器の動作を具体的に説明する。
第１の光ファイバレンズアセンブリの光ファイバ４２には光増幅を行うための光信号が入力される。そして、その入力された光信号がコリメートレンズ４５を介して第２の光ファイバレンズアセンブリに設けられた２つの光ファイバ６６，６７の中の光ファイバ６７にレンズ６５を介して入射されるように第２の光ファイバレンズアセンブリを配置する。光ファイバ６７は、図示していないエルビウムドープファイバ光増幅器（ＥＤＦＡ）の一方の端子に接続され、その他方の端子は第１の光ファイバレンズアセンブリの光ファイバ４１に接続される。
【００２４】
なお、前記エルビウムドープファイバ光増幅器は第１の光ファイバレンズアセンブリの光ファイバ４１及び第２の光ファイバレンズアセンブリの光ファイバ５１そのものであってもよい。第１の光ファイバレンズアセンブリの光ファイバ４１からの出力光が第１の光ファイバレンズアセンブリのレンズ４５を介して第３の光ファイバレンズアセンブリに設けられた２つの光ファイバ７１，７２の中のの光ファイバ７１に入射されるように第３の光ファイバレンズアセンブリを配置する。
【００２５】
以上の説明は図２と同様であるが、本構成では第１の光ファイバレンズアセンブリの光ファイバ４２と第２の光ファイバレンズアセンブリの光ファイバ６７との間に長波長通過フィルタ（ＬＷＰＦ）６１が設けられる。前記長波長通過フィルタ６１は、第１の光ファイバレンズアセンブリの光ファイバ４２からの波長の長い光信号は透過するが第２の光ファイバレンズアセンブリの一方の光ファイバ６６から入力される外部励起レーザダイオードからの波長の短い励起光を反射し、その反射光が同じ第２の光ファイバレンズアセンブリの他方の光ファイバ６７に入力するように配置される。その結果、光ファイバ６７には光信号と励起光との合波光が入力され、光ファイバ６７に接続された前記エルビウムドープファイバ光増幅器（ＥＤＦＡ）においてその励起光による光信号増幅が行われる。従って、本構成の場合には図１の例とは異なり前方励起が行われる。
【００２６】
さらに、本例では第１の光ファイバレンズアセンブリの光ファイバ４１と第３の光ファイバレンズアセンブリの光ファイバ７１との間に長波長通過フィルタ（ＬＷＰＦ）６２が設けられている。前記長波長通過フィルタ６２は、第１の光ファイバレンズアセンブリの光ファイバ４１からの増幅された光信号は透過するが第３の光ファイバレンズアセンブリの一方の光ファイバ７２から入力される波長の短い障害監視信号光を反射し、その反射光が同じ第３の光ファイバレンズアセンブリの他方の光ファイバ７１に入射するように配置される。その結果、本構成による光増幅器からは光出力信号と共に障害監視信号等が外部装置に出力される。外部装置は前記障害監視信号をシステムの保守・運用管理等の様々な用途に利用することができる。
【００２７】
以上、本発明の構成によれば、共通のコリメートレンズで交差した空間ビームを作ることによって２つの互いに独立したレンズ系を構成し、さらに前段と後段の各入出力ファイバを２芯ファイバフェルール化し、そして前記空間ビーム中に必要な光機能エレメントを挿入することによって、前段と後段の各光回路を一体化した１個の光デバイス数を実現することができる。
【００２８】
図４及び図５は、本発明による光デバイスのより具体的な一実施例を示したものである。図４は本発明により実現される光増幅器の構成例を示したものであり、そして図５は図４の各ブロックを光回路で置き換えたものである。以下、図４に示す各ブロック間の接続を考慮しながら図５について説明する。なお、図４においてエルビウムドープファイバ（ＥＤＦ）３０を境にその左側を前段そして右側を後段として説明する。
【００２９】
図５において、前段側と後段側の入力ファイバ４２及び４１は１本のセラミックキャピラリ入りフェルール４３に接着固定されている。セラミックキャピラリ４３にはファイバ孔が２本あいており、各ファイバは１本ずつ挿入され接着固定される。レンズ４５を圧入したレンズホルダ４４がフェルール４３に被せられ、フェルール４３は前記入力ファイバ４１及び４２から出射される光信号がコリメートビームになるようファイバとレンズの間隔（焦点距離）が調整された後にレンズホルダ４４へ溶接固定される。
【００３０】
レンズ４５は、その中心が２本の光ファイバ４１，４２の中心と一致するように構成されており、その結果レンズ４５を通過した光はファイバ軸に対し所定の角度をもって出射される。レンズ４４の直後には長波長通過フィルタ膜８３とアイソレータ８１が配置されている。前者については後述するが、後者については図４に示すように前段及び後段の両方の光路がアイソレータ８１を通過する構成となるため、本構成によれば最も高額な光部品であるアイソレータを２個から１個に削減可能となる。
【００３１】
アイソレータ８１を通過して２本のビームは離れていき、前段及び後段のそれぞれの出力ファイバ６７及び７１へコリメートレンズ６５及び７０を介して集光される。アイソレータ８１とコリメートレンズ６５との間の前段光路中にはカプラ膜４６が配置され、本光デバイスパッケージ内に設けられたフォトダイオード１５によって入力光のレベルがモニタされる。前記カプラ膜４６は光デバイスパッケージ内に接着固定され、そして前記フォトダイオード１５は光軸調整後にパッケージ内に溶接固定される。
【００３２】
また、アイソレータ８１とコリメートレンズ７０との間の後段光路中には帯域通過フィルタ８２とカプラ膜４７が配置され、本光デバイスパッケージ内に設けられたフォトダイオード２８によって出力光のレベルがモニタされる。前記帯域通過フィルタ８２は回転台８４の上に固着され、前記回転台８４の角度調整によってその中心波長のチューニングが行われる。その後、回転台８４は光デバイスパッケージ内に溶接固定される。
【００３３】
前段出力ポート及び後段出力ポートの両者とも、入力ポートと同じ構造の２芯ファイバフェルール構造を有しており、さらに各コリメートレンズ６５及び７０の各々に対向するフィルタ膜６１及び６２を配置している。前段側出力ポートの一方の光ファイバ６６からは波長１．４８μm の励起光が与えられ、また後段側出力ポートの一方の光ファイバ７２からは波長１．５２μm の監視（ＳＶ）信号光が与えられる。
【００３４】
各励起光及び監視信号光は、対向する前記フィルタ膜６１及び６２で反射され、各同一ポートの他方の光ファイバ６７及び７１に入力される。前記フィルタ膜６１及び６２は、反射後の励起光と監視信号光が他方の光ファイバ６７及び７１にそれぞれ結合するよう調整されたのち溶接固定される。その結果、励起光は入力信号光との、そして監視信号光は出力信号光との各合波信号となる。
【００３５】
前記励起光と入力信号光との合波信号は光ファイバ６７からエルビウムドープファイバ（ＥＤＦ）３０に与えられ、そこで増幅された後再び入力側の光ファイバ４１から本光デバイス８０内へと入力される。また、前記監視信号光と出力信号光との合波信号は出力側の光ファイバ７１から次段の光受信機等の外部装置へ出力される。
【００３６】
ところで、以降では前述したようにレンズ４４の直後に配置された長波長通過フィルタ膜８３の機能について図６を使って説明する。図６には、本発明による光デバイスを複数用いたＷＤＭシステムの一構成例を示している。
図６のＷＤＭシステムでは１６波長の多重が行われている。信号数が１６からなる各電気信号は、それぞれの電気−光変換器（Ｅ／Ｏ）９１〜９３で光信号に変換され、光送信機（λ1-16) ９４〜９６から対応する波長の光信号として出力される。これらの信号は光カプラ９７〜９９を介して本発明による各光デバイスを用いた光増幅器１０１〜１０３の入力側光ファイバ４２（図５参照）に入力される。
【００３７】
前記光カプラ９７〜９９の残りの入力ポートには、システム共有の励起レーザ１０５からの励起光が光スイッチ１０６を介して与えられる。ここで、各光増幅器１０１〜１０３に個別に設けられた励起レーザ（図５の２９）の１つがダウンした時、対応する光カプラには前記光スイッチ１０６を介して励起レーザ１０５から励起光が与えられる。その結果、障害が発生した光増幅器には信号光と励起光の合波信号が入力される。
【００３８】
図４に戻って、前記入力された合波信号の中の励起光については長波長通過フィルタ８３で反射され、レンズ４５及び光ファイバ４１を介してエルビウムドープファイバ（ＥＤＦ）３０に与えられる。従って、この場合には障害が発生した光増幅器に関してだけ後方励起が行われる。このように長波長通過フィルタ８３を設けることによって、高価な励起レーザを各光増幅器毎に二重化することなくシステムの高信頼性化が達成可能となる。
【００３９】
【発明の効果】
以上述べたように、本発明によれば光増幅器の光回路を前後段一体化することが可能となり、光増幅器の小型化・低コスト化が実現される。その場合、アイソレータ・レンズ・パッケージを共通部品にすることができ、より一層の小型化・低コスト化が達成される。さらに、複数の光増幅器を用いたシステムにおいて、各光増幅器の励起レーザ障害に対するシステムの高信頼化のために共通の励起レーザを容易に備えることができる。
【図面の簡単な説明】
【図１】エルビウムドープファイバ（ＥＤＦ）を用いた従来の光増幅器デバイスの構成例を示した図である。
【図２】本発明による増幅器用の光デバイスの第１の基本構成を示した図である。
【図３】本発明による増幅器用の光デバイスの第２の基本構成を示した図である。
【図４】本発明による光デバイスの一実施例におけるブロック構成図である。
【図５】図４の各ブロックを光回路で置き換えた図である。
【図６】本発明による光デバイスを複数用いたＷＤＭシステムの一構成例を示した図である。
【符号の説明】
１５，２８…光モニタフォトダイオード
２７…監視信号レーザダイオード
２９，１０５…励起レーザダイオード
３０…エルビュームドープファイバ（ＥＤＦ）
４０，８０…光モジュール
４１，４２，６６，６７，７１，７２…光ファイバ
４３，６３，６８…２芯フェルール
４４，６４，６９…レンズホルダ
４５，６５，７０…レンズ
４６，４７，９７〜９９…光カプラ
６１，６２，８３…長波長通過フィルタ（ＬＷＰＦ）
８１…アイソレータ
８２…帯域通過フィルタ（ＢＰＦ）
１０６…光スイッチ
１０１〜１０３…光増幅器
１０４…ＷＤＭ多重化部
【図１】
0003778641.tif 000002
【図２】
0003778641.tif 000003
【図３】
0003778641.tif 000004
【図４】
0003778641.tif 000005
【図５】
0003778641.tif 000006
【図６】
0003778641.tif 000007